(57)【要約】  独立型の高さ調節可能なバレー・バー練習用装置（１０）が提供される。この装置（１０）は、１対の脚（１２）と、脚（１２）に旋回可能に取り付けられ、支持アーム（１４）同士の間に配設された水平バレー・バー（１６）を支持する伸縮嵌合式の支持アーム（１４）と、脚（１２）同士をそれらの端部同士の中間で連結する下方横棒（１８）と、支持アーム（１４）同士を連結する上方横棒（２０）と、上方横棒（２０）に旋回可能に取り付けられ、下方横棒（１８）に着脱可能に取り付けられた裏板（２２）と、裏板（２２）の底縁部に蝶番式に取り付けられ、使用者の重量を支持するように床にぴったりとついて横たわるように適合された床板（２４）とを備える。裏板（２２）および床板（２４）は柔らかいマット（２５）によって覆われることが好ましい。
2008509789.tif 000002
【特許請求の範囲】
【請求項１】
独立型バレー・バー練習用装置（１０）であって、
１対の脚（１２）であって、各脚（１２）が近位端部と前記近位端部から離れて配設された遠位端部とを有する１対の脚（１２）と、
前記脚（１２）に前記脚の遠位端部で旋回可能に取り付けられた支持アーム（１４）と、
前記支持アーム（１４）同士の間に取り付けられた水平の練習用バー（１６）と、
前記脚（１２）同士をそれらの端部同士の中間で連結する第１下方横棒（１８）と、
前記支持アーム（１４）同士を連結する上方横棒（２０）と、
前記上方横棒（２０）に取り付けられ、前記第１下方横棒（１８）に取り付けられて、前記練習用バー（１６）を独立位で支持する裏板（２２）とを備える独立型バレー・バー練習用装置（１０）。
【請求項２】
前記裏板（２２）に蝶番式に取り付けられ、使用者の重量を支持するように床にぴったりとついて横たわるように適合された床板（２４）をさらに含む、請求項１に記載の独立型バレー・バー練習用装置（１０）。
【請求項３】
前記脚（１２）同士をそれらの遠位端部で連結する第２下方横棒（１９）をさらに備える、請求項２に記載の独立型バレー・バー練習用装置（１０）。
【請求項４】
前記支持アーム（１４）が、前記バレー・バー（１６）の高さを調節するのを可能にするように伸縮嵌合式である、請求項３に記載の独立型バレー・バー練習用装置（１０）。
【請求項５】
前記脚（１２）が、前記装置（１０）の安定性を高めるように伸縮嵌合式に伸張する、請求項４に記載の独立型バレー・バー練習用装置（１０）。
【請求項６】
前記床板（２４）を覆うクッション付マット（２５）をさらに備える、請求項４に記載の独立型バレー・バー練習用装置（１０）。
【請求項７】
前記支持アーム（１４）に隣接する前記上方横棒（２０）のどちらの端部にも取り付けられたばね荷重付握手（３６）であって、前記支持アーム（１４）を所望の高さにロックするように適合されたばね荷重付握手（３６）をさらに備える、請求項４に記載の独立型バレー・バー練習用装置（１０）。
【請求項８】
前記床板（２４）が前記裏板（２２）の底縁部に少なくとも１つの蝶番（４６）によって接合される、請求項４に記載の独立型バレー・バー練習用装置（１０）。
【請求項９】
前記少なくとも１つの蝶番（４６）がスナップ嵌めによって前記第１下方横棒（１８）に着脱可能に取り付けられる、請求項８に記載の独立型バレー・バー練習用装置（１０）。
【請求項１０】
前記少なくとも１つの蝶番（４６）がばね荷重付カム取手（３８）によって前記第１下方横棒（１８）に定位置内にロックされる、請求項９に記載の独立型バレー・バー練習用装置（１０）。
【請求項１１】
請求項４に記載の独立型バレー・バー練習用装置（１０）を使用する方法であって、
使用者の体の少なくとも一部分を前記床板（２５）に配置して、前記床板（２５）に下向きの力を掛け、そのようにして前記装置を安定化するステップと、
前記練習用バー（１６）を使用してストレッチをし、または練習を行うステップとを含む方法。
【発明の詳細な説明】
【技術分野】
【０００１】
本発明はエクササイズ用装置に関し、より詳しくは、本発明は、簡単に移送し保管できるように畳むことが可能な独立型のバレー・バー練習用装置に関する。
【背景技術】
【０００２】
従来式のバレー・バーは通常壁に取り付けられ、したがってバーを壁に取り付けることができる部屋に限定される。練習用バーの一般家庭使用者にとっては、これは練習を行う部屋の選択を限定する。
【発明の開示】
【発明が解決しようとする課題】
【０００３】
したがって、本発明の目的は、独立型の練習用バーを提供することである。
本発明の他の目的は、簡単に移送し、例えばクローゼットの中またはベッドの下などに保管できるように簡単に設置し、畳むことが可能な独立型の練習用バーを提供することである。
【０００４】
本発明のさらに他の目的は、所望の高さに引き上げまたは引き下げることのできる練習用バーを提供することである。
さらなる追加の目的が、説明、添付図面、および添付請求項から明らかとなろう。
【課題を解決するための手段】
【０００５】
本発明は、簡単に移送し、保管できるように畳むことが可能な独立型のバレー・バー練習用装置である。好ましい実施形態では、この装置は、１対の脚と、脚の両遠位端部で脚に旋回可能に取り付けられた１対の支持アームと、使用者に都合の良い高さで支持アーム同士の間に取り付けられた練習用バーとを備え、第１下方横棒が脚同士をそれらの端部同士の中間で連結し、上方横棒が支持アーム同士を連結し、裏板が上方横棒と第１下方横棒とに取り付けられて練習用バーを独立位で支持する。第２下方横棒は脚同士をそれらの遠位端部で連結する。床板は裏板に蝶番式に取り付けられ、使用者の重量を支持するように、床にぴったりとついて横たわるように適合される。床板は１つまたは複数の蝶番によって裏板の底縁部に接合することができる。これらの蝶番は、スナップ嵌めによって第１下方横棒に着脱可能に取り付けられ、ばね荷重付カム取手によって第１下方横棒に定位置へとロックすることができる。クッション付きマットが床板、好ましくは裏板も覆う。
【０００６】
支持アームは伸縮嵌合式であり、バレー・バー１６の高さを調節することが可能なように伸張し、または引き込めることができる。支持アームに隣接する上方横棒のいずれの端部にも取り付けられたばね荷重付握手を使用して、支持アームを所望の高さにロックする。同様に、脚を伸縮嵌合式に伸張して、この個別装置の安定性を高めることができる。
【０００７】
練習用装置を使用するために、使用者は床板の上に立ち、膝をつき、座り、または他の形で静止し、練習用バーを使用してストレッチし、または練習を行うことができる。床板が、練習用バーに間接的に連結される裏板に取り付けられていることから、練習用バーが使用者による上向きの力を受けるときにも、床板に掛かる使用者の重量およびどのような下向きの力も、バレー・バーを使用中定位置に維持する。
【０００８】
この個別装置は簡単に設置でき、都合良く輸送し、保管できるように比較的平らでコンパクトな形状に折畳むことが可能である。
【発明を実施するための最良の形態】
【０００９】
図面を見ると、図１に本発明の好ましい実施形態、独立型バレー・バー練習用装置１０を示してある。装置１０は、１対の伸縮嵌合式の脚１２であって、各脚１２が任意選択のゴム製安定化足部３１を含む近位端部および近位端部から離れて配設される遠位端部１５を有する脚１２と、脚１２に脚の遠位端部１５で旋回可能に取り付けられた伸縮嵌合式の支持アーム１４と、支持アーム１４同士の間に取り付けられた高さ調節可能な水平の練習用バー１６と、脚１２同士をそれらの端部同士の中間で連結する第１下方横棒１８と、脚１２同士をそれらの遠位端部１５で連結する第２下方横棒１９と、支持アーム１４同士を連結する上方横棒２０と、上方横棒２０に旋回可能に取り付けられ、第１下方横棒１８に着脱可能に取り付けられた裏板２２と、裏板２２に蝶番式に取り付けられた床板２４とを備える。裏板２２と床板２４は、図２に示すように柔らかいマット２５によって覆われるのが好ましい。
【００１０】
各脚１２は、スリーブまたは外側脚部材２８内で滑動する内側脚部材２６を備える。外側脚部材２８に取り付けられた戻止３０を使用して、内側脚部材２６を伸張位にロックすることができる。脚１２を畳むには、使用者は内側脚部材２６を外側脚部材２８の内側に押し込む。これによって戻止が開放され、内側脚部材２６を外側脚部材２８の内側に引き込ませることができる。安定性を良くするために、ゴム製パッド付の脚３１を内側脚部材２６の近位端部に取り付けてもよい。
【００１１】
同様に、各支持アーム１４は、スリーブまたは外側アーム部材３４内で滑動する内側アーム部材３２を備える。練習用バー１６は内側アーム部材３２の上方端部同士の間に取り付けられる。練習用バー１６は支持アーム１４の開口部から挿入され、止ねじによって定位置に保持されることが好ましい。練習用バー１６の高さは、内側アーム部材３２を外側アーム部材３４内で滑動させ、内側アーム部材３２を所望位置内にロックすることによって調節することができる。図４〜図６で最もよく分かるように、各内側アーム部材３２は、外側アーム部材３４に隣接する上方横棒２０のいずれの端部にも取り付けられるばね荷重付握手３６によって定位置にロックされる。練習用バー１６の高さを調節するのに、ばね荷重付握手３６が引き込められる（支持アーム１４から引き離される）が、それによって内側アーム部材３２が外側アーム部材３４内で自由に滑動する。すると練習用バー１６を所望の高さに調節することができる。バー１６が所望の高さになると、図５に示すようにばね荷重付握手３６が係合される。図面に示すように、内側アーム部材３２に使用者に向けて角度をもたせて、床板２４上でバー１６をより良く位置決めできるようにすることが好ましい。
【００１２】
図３、図３Ａ、図１０、および図１１でおそらく最もよく分かるように、床板２４は、金属製蝶番４６および弓形連結部材４８によって裏板２２の底縁部に接合される。裏板２２は上方横棒２０に旋回可能に、したがって間接的に練習用バー１６に取り付けられる。弓形連結部材４８、したがって裏板２２および床板２４は第１下方横棒１８と対合し、ばね荷重付カム取手３８によって定位置に保持またはロックされる（図１０）。裏板２２および床板２４を第１下方横棒１８から開放するには、ばね荷重付取手３８を図１１に示すように引き込めなければならない。床板２４は、図１および図２に示すように、練習用表面をより大きくするために、蝶番で一緒に連結された複数の板を含むことができる。
【００１３】
図７はバレー・バー練習用装置１０の他の接近図であり、図８および図９は伸縮嵌合式の脚１２の１つの接近図である。以下により詳しく説明するように、任意選択の脚用ストラップ４０を各脚１２の外側部材２８に連結し、それを使用して、個別装置１０が折畳まれたときにそれを固定できる。
【００１４】
個別装置１０を組み立てるのに、使用者は、図１６に示すように裏板２２の背面が上向きに床に横たわっている個別装置１０から開始する。まず、脚用ストラップ４０を解く。次いで使用者は木製練習用バー１６を持ち上げて個別装置１０を拡げる。個別装置１０を拡げた後、裏板２２は、それを蝶番４６で下方横棒１８に取り付け、ばね荷重付取手３８が蝶番４６の上で定位置にロックするのを確実にすることによって、垂直位にロックされる。床板２４は床に対してぴったりとついて横たわらねばならない。伸縮嵌合式の脚１２は、安定性を大きくするために完全に伸張することができる。練習用バー１６は、支持アーム１４に隣接する上方横棒２０の各端部に取り付けられるばね荷重付握手３６を引き込ませ、次いでバー１６を引き上げることによって所望の高さに調節することができる。装置１０を使用する前に、使用者はばね荷重付握手３６が定位置内にロックされていることを確認しなければならない。
【００１５】
練習用装置１０を使用するのに、使用者は床板２４上に立ち、膝を付き、座り、または他の形で静止して、練習用バー１６を使用しながらストレッチし、または練習を行う。床板２４が裏板２２に、さらに間接的に練習用バー１６に取り付けられていることから、練習用バー１６で上向きの力を掛けても、床板２４に掛かる使用者の重量およびどのような下向きの力も、使用中装置１０を定位置に維持する。
【００１６】
個別装置１０は、都合良く輸送し、保管することができるように比較的平らな小型形状に折畳むことができる。個別装置１０を折畳むには、脚１２をまず伸縮嵌合式に畳む。次いでばね荷重付カム取手３８を引き込めてから床板２２および裏板２４を下方横棒１８からスナップ式に外す。図１２に示すように、板２２、２４を第１下方横棒１８から外して、裏板２２が支持アーム１４とほぼ位置合わせされるまで上方横棒２０のまわりで板２２、２４を旋回させることによって板２２、２４を後ろ向きに揺動させることができる。次いで図１２および図１３に示すように、使用者は練習用バー１６を掴み、支持アーム１４をそれらが脚１２と位置合わせされるまで下げることができる。
【００１７】
図１４は、アーム１４が下げられた後の独立型バレー・バー練習用装置１０の斜視図である。この位置で、使用者は脚用ストラップ４０でアームおよび脚を一緒に固定することができる。図１５はストラップで一緒に固定されたところを示す右側脚１２および支持アーム１４の接近図である。内側脚部材２６は外側脚部材２８の内側で畳むことができる。
【００１８】
図１６で示すように、ナイロン製保持ストラップ４２が第２下方横棒１９と上方横棒２０とに恒久的に取り付けられる。このストラップは、個別装置が輸送される際、板２２、２４を定位置に保持する。
【００１９】
図１６〜図１８に示す折畳まれた個別装置１０は、約６インチの深さしか有さず、１人で簡単に担持できるほどに充分軽量である。脚１２が第２下方横棒１９に連結される脚１２の端部に取り付けられる任意選択の車輪４４は、個別装置１０があちらこちらへと転がされるのを可能にする。折畳まれた個別装置１０はクローゼット内またはベッドの下などの小さな区域に保管することができる。
【００２０】
好ましくは、練習用バー１６が木製であり、板２２、２４は合板製であり、脚１２およびアーム１４は金属またはプラスチック製である。板２２、２４を覆うマット２５は、任意の適切なクッション付材料で作ることができる。
【００２１】
上述の教示および添付の請求項によって規定する本発明の精神および範囲から逸脱しない、本発明の他の修正形態および代替的実施形態が企図される。それらの請求項は、それらの範囲に入るそのような全ての修正形態を網羅することをここに意図する。
【図面の簡単な説明】
【００２２】
【図１】本発明による独立型バレー・バー練習用装置の斜視図である。
【図２】図１の独立型バレー・バー練習用装置の他の斜視図である。
【図３】図１の独立型バレー・バー練習用装置の一部分の接近斜視図である。
【００２３】
図３Ａは、図３の線３Ａ−３Ａによる横断面図である。
【図４】図１の独立型バレー・バー練習用装置の左側ばね荷重付握手の接近図である。
【図５】使用者によって外されているところを示す、図１の独立型バレー・バー練習用装置の右側ばね荷重付握手の接近図である
【図６】外された後の、図５の右側ばね荷重付握手の接近図である。
【図７】マットが取り外された、図１の独立型バレー・バー練習用装置の一部分の斜視図である。
【図８】図１の独立型バレー・バー練習用装置の左側脚の接近図である。
【図９】部分的に伸長されたところを示す、図１の独立型バレー・バー練習用装置の左側脚の接近図である。
【図１０】図１の独立型バレー・バー練習用装置の右側ばね荷重付取手の接近図である。
【図１１】使用者によって引き込められているところを示す、図１０の右側ばね荷重付取手の接近図である。
【図１２】マットが取り外され、使用者によって畳まれる前を示す、図１の独立型バレー・バー練習用装置の斜視図である。
【図１３】ある程度畳まれたところを示す、図１２の独立型バレー・バー練習用装置の斜視図である。
【図１４】完全に畳まれているが、ストラップを締める前の、図１２の独立型バレー・バー練習用装置の斜視図である。
【図１５】脚用ストラップが固定されたところを示す、図１４の独立型バレー・バー練習用装置の右側脚および支持アームの接近図である。
【図１６】完全に畳まれ、保持ストラップが固定されているところを示す、図１２の独立型バレー・バー練習用装置の斜視図である。
【図１７】図１６の独立型バレー・バー練習用装置の左側車輪の接近図である。
【図１８】車輪上で平衡であるところを示す、図１６の独立型バレー・バー練習用装置の斜視図である。
【図１】
2008509789.tif 000003
【図２】
2008509789.tif 000004
【図３】
2008509789.tif 000005
【図３Ａ】
2008509789.tif 000006
【図４】
2008509789.tif 000007
【図５】
2008509789.tif 000008
【図６】
2008509789.tif 000009
【図７】
2008509789.tif 000010
【図８】
2008509789.tif 000011
【図９】
2008509789.tif 000012
【図１０】
2008509789.tif 000013
【図１１】
2008509789.tif 000014
【図１２】
2008509789.tif 000015
【図１３】
2008509789.tif 000016
【図１４】
2008509789.tif 000017
【図１５】
2008509789.tif 000018
【図１６】
2008509789.tif 000019
【図１７】
2008509789.tif 000020
【図１８】
2008509789.tif 000021
【国際調査報告】
2008509789.tif 000022